(57)【要約】      （修正有）【課題】ドライヤーからの風通りが良く、適度なテンションを掛けることができ、製造工程において組立て易いヘアーブラシの提供。【解決手段】ヘアーブラシの支柱１ｂに複数のねじりブラシ芯線２ｂを取り付け、ねじりブラシが回転自在に可動し、容易にねじりブラシの取り換えができ、ブラシ毛２ａは腰折れしない長さで適度なテンションを掛けることができる構成とすることで、構造の簡素化と軽量化、ドライヤーからの風通りが良く、製造工程において、非常に組立て易くする。【選択図】図１
2017080368.tif 000002
【特許請求の範囲】
【請求項１】
ブラシ本体と、該ブラシ本体に取り付けられた複数のねじりブラシから成ることを特徴とするヘアーブラシ。
【請求項２】
前記ねじりブラシが回転自在に可動することを特徴とする請求項１記載のヘアーブラシ。
【請求項３】
前記ねじりブラシの取り換えが容易にできることを特徴とする請求項１、２記載のヘアーブラシ。
【発明の詳細な説明】
【技術分野】
【０００１】本発明は、ヘアーブラシに関する発明である。
【背景技術】
【０００２】ヘアーブラシには様々な種類があり、目的用途によって形状や構造が異なり、それに合ったヘアーブラシが使用される。その中でロールブラシは、円柱形状でその側面にブラシ毛が放射状に形成され、スタイリング用としてドライヤーでブローする際に多く用いられる。構造は、主に木製から成る把持部と一体化した円柱形状の側面部に、獣毛や合成樹脂モノフィラメントなどのブラシ毛を打ち込んで固定したものが広く知られている。【０００３】その他の構造として、特許文献１に記載されたロールブラシがあり、１本のねじりブラシを筒状体に挿入固定し、筒状体に形成された貫通孔からねじりブラシのブリッスルを放射状に突設したものである。特徴として、髪を巻き付けてドライヤー等でブローする際に、熱風が貫通孔を通り、熱風の吹出口とは筒状体の反対側に位置する髪に熱風が届くことで、効率的なブローができる。【０００４】しかしながら、貫通孔を通り抜ける熱風は、筒状体に遮られ反対側に位置する髪に届く量は僅かである。また、製造工程において、ねじりブラシを筒状体に挿入し、筒状体に設けられた貫通孔に、ねじりブラシのブリッスルを貫通させて突設する作業は、貫通孔からブリッスルが突出されるように調節する必要があり手間が掛かる。特許文献１で指摘されているように、突出するブリッスルが長ければ長いほど、その作業は困難を極める。機能的には、突出するブリッスルが長ければ、髪への引っ掛かりが増し、テンションが掛けやすいものとなるが、構造上の問題で、貫通孔から突出するブリッスルが短いものに限られる。【０００５】ねじりブラシを用いた他のロールブラシとして、１本の円柱形状のねじりブラシに単に把持部を取り付けただけのロールブラシが存在するが、ブラシ毛の長短によりテンションの掛かり具合が大きく左右される。ブラシ毛の長さに比例してその円柱形状の径の大きさが変わるので、大きな径になるほどブラシ毛が長くなり、腰が失われテンションが掛けることができない為、小さい径のロールブラシに限定される。
【先行技術文献】
【特許文献】
【０００６】
【特許文献１】特開１９９５−２３６５１８
【発明の概要】
【発明が解決しようとする課題】
【０００７】本発明は、上記の問題を解決する為に、ドライヤーからの風通りが良く、適度なテンションを掛けることができ、製造工程において組立て易いヘアーブラシの提供を目的とする。
【課題を解決するための手段】
【０００８】本明細書によれば以下の発明が提供される。
（１）ブラシ本体と、該ブラシ本体に取り付けられた複数のねじりブラシから成ることを特徴とするヘアーブラシ。
（２）前記ねじりブラシが回転自在に可動することを特徴とする（１）記載のヘアーブラシ。
（３）前記ねじりブラシの取り換えが容易にできることを特徴とする（１）または（２）記載のヘアーブラシ。
【発明の効果】
【０００９】本発明は、ドライヤーからの風通りが良く、複数のねじりブラシから構成することで適度なテンションを掛けることができ、製造工程において組立て易く、更に、容易にねじりブラシの取り換えができる。
【図面の簡単な説明】
【００１０】
【図１】本発明の実施形態によるロールブラシの正面図である。
【図２】本発明の実施形態によるロールブラシの平面図である。
【図３】本発明の実施形態に係るねじりブラシの正面図である。
【図４】本発明の実施形態に係るねじりブラシの平面図である。
【図５】本発明の実施形態に係るブラシ本体の正面図である。
【図６】図１におけるＡ−Ａ線の断面図である。
【発明を実施するための形態】
【００１１】以下、本発明の実施形態を図に基づき説明する。図１に示したものが本発明の実施形態のロールブラシで、ブラシ本体１（図５参照）とねじりブラシ２（図３及び図４参照）から構成されている。ブラシ本体１の組立ては、複数のねじりブラシ２を、ブラシ本体１に備えらえた係合穴１ｅに、ねじりブラシ２の芯線２ｂの両端を図６が示すように差し込んで取り付け、キャップ１ｃにある嵌合穴１ｄを、ブラシ本体１の支柱部１ｂに嵌め込むことで組立てられる。前述の筒状体を備えたロールブラシに比べ、貫通孔からブリッスルが突出されるように調整する必要がないので、組立てが容易である。また、筒状体がない分、軽量化でき長時間の使用に対する腕への負担を軽減し、ブラシ内部を通り抜ける風量が増えることで、効率的なブローできる。一方、前述したねじりブラシに把持部を取り付けたロールブラシと比較して、ブラシ毛２ａが腰折れしない長さを有するねじりブラシ２を複数設けることで、大きな径のロールブラシでも問題なくテンションを掛けることができる。
【００１２】本発明の実施形態では、図２が示すように、ねじりブラシ２は６本で構成されているが、これは数多くある中の実施例の１つであり、ねじりブラシ２の本数は、ブラシ本体１やねじりブラシ２の形状や大きさなど、若しくは、テンションの掛かり具合などの要因で決める為、一概に本数は限定されない。例えば、ねじりブラシ２が大きければ、設置できる本数は限られ、逆に、ねじりブラシ２が小さければそれより多く取り付けることができる。また、多く取り付けることができるが、テンションの掛かり具合によって本数を少なく設置するなど様々である。
【００１３】また、図３で示されたねじりブラシ２の形状は円柱形状であるが、ブラシ毛を毛刈りすることでテーパー状やコンケーブ状、或いは、非対称状など様々な形状にすることができる。それに加えて、ブラシ毛２ａの素材や色など、ねじりブラシ２の設置箇所や本数など数多くの組み合わせが可能で、個々の髪質や髪型などに合ったものを提供することができる。本発明の実施形態では、ねじりブラシ２のみで構成されているが、より幅広いニーズに対応する為に、樹脂製のブラシピンと併用することもできる。
【００１４】機能面において、前述したねじりブラシで構成されたロールブラシと違い、ブラシ本体１に取り付けられたねじりブラシ２を、３６０度回転自在に可動することができる。それには係合穴１ｅの径を芯線２ｂの径より少し大きめにする必要がある。効果として、釣りのスピニングリールに付いているドラグ機能のように、テンションを掛けた際の無理な引っ張りに対して、ねじりブラシ２が回転することで髪への負担を軽減してくれる。また、構造面において、キャップ１ｃを取り外してねじりブラシ２の取り換えが容易にでき、破損などによる取り換えに対応することで長く使うことができ、また、個々に合ったねじりブラシ２を取り付けることで簡単にカスタマイズできる。
【００１５】以上、本発明による実施形態のヘアーブラシであるが、上記実施例に記載した構成に限定されるものではなく、その趣旨を逸脱しない範囲において適宜その構成を変更することができる。
【符号の説明】  １    ブラシ本体
１ａ  把持部
１ｂ  支柱部
１ｃ  キャップ
１ｄ  嵌合穴
１ｅ  係合穴
２    ねじりブラシ
２ａ  ブラシ毛
２ｂ  芯線
【図１】
2017080368.tif 000003
【図２】
2017080368.tif 000004
【図３】
2017080368.tif 000005
【図４】
2017080368.tif 000006
【図５】
2017080368.tif 000007
【図６】
2017080368.tif 000008